(57)【要約】【課題】  組み付けが容易で、像ブレの発生を抑制できる表示装置を提供する。【解決手段】  表示装置は、表示光Ｌを射出口から射出し、透光部材に照射することで表示光Ｌが表す像を表示する。表示装置は、表示光Ｌを射出する表示部３と、表示部３から射出口に至る表示光Ｌの光路上に位置し、表示光Ｌを反射させる反射部（第１反射部４１、第２反射部４２）と、表示部３の動作を制御する制御基板と、射出口が設けられた上ケースと、上ケースと組み合わされる下ケース７１と、上ケースと下ケース７１との間に位置すると共に下ケース７１に固定され、表示部３を保持する保持ユニット５と、を備える。保持ユニット５は、上ケース側において表示部３だけでなく反射部の少なくとも一部を保持すると共に、下ケース７１側において制御基板を保持する。【選択図】  図３
2020189626.tif 000002
【特許請求の範囲】
【請求項１】
表示光を射出口から射出し、透光部材に照射することで前記表示光が表す虚像を表示する表示装置であって、
前記表示光を射出する表示部と、
前記表示部から前記射出口に至る前記表示光の光路上に位置し、前記表示光を反射させる第１反射部と、
前記表示部の動作を制御する制御基板と、
前記射出口が設けられた第１ケースと、
前記第１ケースと組み合わされる第２ケースと、
前記第１ケースと前記第２ケースとの間に位置すると共に前記第２ケースに固定され、前記表示部を保持する保持ユニットと、を備え、
前記保持ユニットは、前記表示部と前記第１反射部が前記第１ケース側に位置するように前記保持ユニットに固定され、前記制御基板が前記第２ケース側に位置するように前記保持ユニットに固定される、
ことを特徴とする表示装置。
【請求項２】
前記第１反射部で反射した前記表示光をさらに反射させる第２反射部を備え、
前記第２反射部は、軸部を有し、
前記保持ユニットは、前記軸部を軸支する、
ことを特徴とする請求項１記載の表示装置。
【請求項３】
前記第１ケースに固定された外光センサ基板を備え、
前記保持ユニットは、前記第１反射部の裏面側にコードクランプが形成されており、
前記コードクランプによって前記外光センサ基板と前記制御基板とを接続する配線を挟む、
ことを特徴とする請求項１または請求項２に記載の表示装置。
【発明の詳細な説明】
【技術分野】
【０００１】
本発明は、表示装置に関する。
【背景技術】
【０００２】
特許文献１には、表示部からの表示光を反射部で反射させた後に、車両のフロントガラス等の透光部材に投射することで、表示光が表す像を虚像としてユーザに視認させる表示装置（所謂ヘッドアップディスプレイ装置）が開示されている。
【０００３】
特許文献１に係る表示装置は、上ケース（同文献では蓋１）と下ケース（同文献では第１ケース２）とから構成される筐体内に各部材を配設する構造となっている。具体的には、下ケースの内側に表示光を反射させる反射部（平面鏡、凹面鏡）を組み付け、下ケースの外側に制御基板を固定する構造となっている。また、表示部（液晶表示素子やバックライト）は、前記のケースとは別体の専用ケース（同文献では第２ケース５）に組み付けられており、当該専用ケースと下ケースとを螺合する構造となっている。
【先行技術文献】
【特許文献】
【０００４】
【特許文献１】特開２０１６−９１５５号公報
【発明の概要】
【発明が解決しようとする課題】
【０００５】
特許文献１に係る構造では、表示部と反射部の各々が別部材を基準に組み付けられるため、組み付け性の向上と、表示光の光路上の部品の配設精度に向上の点で改善の余地がある。光路上の部品の配設精度を向上させることができれば、像が想定の表示位置からぶれてしまうこと（像ブレの発生）を抑制することに繋がる。
【０００６】
本発明は、上記実情に鑑みてなされたものであり、組み付けが容易で、像ブレの発生を抑制できる表示装置を提供することを目的とする。
【課題を解決するための手段】
【０００７】
上記目的を達成するため、本発明に係る表示装置は、
表示光を射出口から射出し、透光部材に照射することで前記表示光が表す像を表示する表示装置であって、
前記表示光を射出する表示部と、
前記表示部から前記射出口に至る前記表示光の光路上に位置し、前記表示光を反射させる反射部と、
前記表示部の動作を制御する制御基板と、
前記射出口が設けられた第１ケースと、
前記第１ケースと組み合わされる第２ケースと、
前記第１ケースと前記第２ケースとの間に位置すると共に前記第２ケースに固定され、前記表示部を保持する保持ユニットと、を備え、
前記保持ユニットは、前記表示部と前記第１反射部が前記第１ケース側に位置するように前記保持ユニットに固定され、前記制御基板が前記第２ケース側に位置するように前記保持ユニットに固定される、
ことを特徴とする。
【発明の効果】
【０００８】
本発明によれば、組み付けが容易で、像ブレの発生を抑制できる表示装置を提供することができる。
【図面の簡単な説明】
【０００９】
【図１】本発明の一実施形態に係る表示装置の搭載態様を説明するための模式図である。
【図２】表示装置の斜視図である。
【図３】上ケース等を除いた表示装置の斜視図である。
【図４】主に保持ユニットを示す斜視図である。
【図５】保持ユニットの背面図である。
【図６】制御基板と液晶表示素子の接続構造を説明するための分解図である。
【図７】保持ユニットの収容部近傍の斜視図である。
【図８】下ケースの平面図である。
【図９】制御基板と外光センサ基板の接続構造を説明するための斜視図である。
【図１０】（ａ）及び（ｂ）は筐体の要部断面図である。
【図１１】上ケースの詳細構造を説明するための斜視図である。
【図１２】上ケースの詳細構造を説明するための斜視図である。
【図１３】平面鏡を保持する第１ホルダの詳細構造を説明するための分解図である。
【図１４】平面鏡を保持する第１ホルダの詳細構造を説明するための要部断面図である。
【発明を実施するための形態】
【００１０】
本発明の一実施形態に係る表示装置を、図面を参照して説明する。
【００１１】
本実施形態に係る表示装置１００は、図１に示すように車両Ｃのダッシュボードに埋め込まれるようにして設けられる。表示装置１００は、主に図２〜図８に示すように、表示部３と、第１反射部４１と、第２反射部４２と、保持ユニット５と、制御基板６と、筐体７と、を備える。なお、表示部３は、バックライトユニット１と液晶表示素子２を有し、筐体７は、下ケース７１と上ケース７２を有する。
【００１２】
表示装置１００は、ヘッドアップディスプレイ装置として構成されている。表示装置１００は、表示部３からの表示光Ｌを上ケース７２に設けられた射出口７２ａ（図２参照）から射出し、車両ＣのウインドシールドＳ（フロントガラス）に投射し、表示光Ｌが表す像の虚像Ｖをウインドシールド前方に表示する。これにより、ユーザＵ（主に車両Ｃの運転者）は、運転中に前方を見たまま各種情報を表す画像（虚像Ｖ）を視認できる。なお、図２、図３において表示光Ｌの概略光路を破線矢印で表した。
【００１３】
以下では、構成の理解を容易にするために、ユーザＵから見た上下方向（図１における紙面上下方向に対応）に沿うＹ軸、ユーザＵから見た左右方向に沿うＸ軸、Ｘ及びＹ軸と直交するＺ軸を用いて各部を適宜説明する。また、図示した、Ｘ、Ｙ、及びＺの各軸を示す矢印が向く方向を各軸の＋（プラス）方向、その反対方向を−（マイナス）方向とする。
【００１４】
（表示部３）
表示部３は、バックライトユニット１と、液晶表示素子２とを有する。表示部３は、保持ユニット５の後述する収容部５０に保持される。
【００１５】
バックライトユニット１は、図４に示すように、光源１０と、光学素子群（平行光生成手段１１、レンズアレイ１２、第１レンズ１３、及び第２レンズ１４）を備える。
【００１６】
平行光生成手段１１、レンズアレイ１２、第１レンズ１３、及び第２レンズ１４は、光源１０が射出する光の光路上に、順に配置されている。
【００１７】
光源１０は、液晶表示素子２を透過照明する光（以下、照明光）を発する。光源１０は、例えば、１又は複数のＬＥＤ（Light Emitting Diode）から構成されている。光源１０は、後述の収容部５０の端部（＋Ｘ側端部）に固定された回路基板１０ａ（図４参照）に実装されている。回路基板１０ａは、アルミ、樹脂等からなる基材に回路パターンが形成されてなるものであり、図５、図６に示す制御基板６と配線（図示せず）によって電気的に接続されている。
【００１８】
平行光生成手段１１は、光源１０からの照明光を受け、光源１０の光軸（概ねＸ方向に沿う軸）と平行に進む平行光として射出する。平行光生成手段１１は、例えばコンデンサレンズからなり、図４、図６に示すように回路基板１０ａに固定されている。平行光生成手段１１として、コリメートレンズ等の光学素子を採用してもよい。
【００１９】
レンズアレイ１２は、例えば、単レンズを縦横に複数配列してなるフライアイレンズからなる。レンズアレイ１２には、平行光生成手段１１によって平行化された照明光が入射する。レンズアレイ１２は、自身を構成するレンズの数だけ多重像を生じさせるため、１つの光源１０の像が、レンズアレイ１２のレンズの数だけの多重像となる。これにより、少ない光源１０でも均質な光強度分布で液晶表示素子２を照明することができる。
【００２０】
第１レンズ１３及び第２レンズ１４は、レンズアレイ１２を透過した照明光を液晶表示素子２の表示領域に対応するように集光し、液晶表示素子２の背面の必要な範囲に効率良く照射する。第１レンズ１３及び第２レンズ１４は、例えば、アクリルレンズからなり、両者の少なくとも一方は、トロイダルレンズとして構成されている。これにより、第１レンズ１３及び第２レンズ１４を通過した照明光は、長方形状に配光されるため、一般的に長方形状に形成されることの多い液晶表示素子２の表示領域の形状に合わせて、効率良く液晶表示素子２に照射される。
【００２１】
液晶表示素子２は、例えば、ＴＦＴ（Thin Film Transistor）型の液晶パネルの前面及び背面に偏光板を設けることで構成されている。液晶パネルとしては、ＴＮ（Twisted Nematic）型、ＶＡ（Vertical Alignment）型、ＳＴＮ（Super-Twisted Nematic）型、強誘電性型等の様々な型が適用可能である。なお、液晶パネルは、パッシブ駆動型であってもよい。液晶表示素子２と第２レンズ１４との間には、図示しない拡散板が設けられており、照明のムラが低減される。
【００２２】
図４に示すように、液晶表示素子２には、その表示領域を覗かせると共に端部を保護するカバー２ａが設けられている。このカバー２ａを介して、液晶表示素子２は、後述の収容部５０の端部（−Ｘ側端部）に固定される。カバー２ａは、収容部５０に設けられたフックＨ１などによって収容部５０に固定される。
【００２３】
液晶表示素子２は、制御基板６の制御のもと、各画素を、透過／不透過のいずれかの状態に切り替えることで画像を表示する。また、制御基板６は、回路基板１０ａを介して光源１０の発光制御を行う。バックライトユニット１で生成された照明光によって液晶表示素子２が透過照明されると、画像を表す表示光Ｌが射出される。このようにして、バックライトユニット１と液晶表示素子２とから構成される表示部３から表示光Ｌが射出される。
【００２４】
（第１反射部４１、第２反射部４２）
第１反射部４１は、平面鏡４１ａと、平面鏡４１ａを保持する第１ホルダ４１ｂとを有する。平面鏡４１ａは、樹脂、ガラス等からなる基材にアルミニウム等の金属を蒸着させ反射面を形成してなる。平面鏡４１ａは、表示部３が発した表示光Ｌを第２反射部４２に向け反射させる。平面鏡４１ａは、図４等に示す第１ホルダ４１ｂを介して、保持ユニット５に保持される。保持構造については後述する。
【００２５】
第２反射部４２は、凹面鏡４２ａと、凹面鏡４２ａを保持する第２ホルダ４２ｂとを有する。凹面鏡４２ａは、樹脂、ガラス等からなる基材にアルミニウム等の金属を蒸着させ反射面を形成してなる。表示部３と平面鏡４１ａを経て、凹面鏡４２ａで反射した表示光Ｌは拡大されてウインドシールドＳに投射される。これにより、ユーザＵに視認される虚像Ｖは、表示部３に表示されている画像が拡大された大きさになる。第２ホルダ４２ｂによる保持構造については後述する。
【００２６】
（保持ユニット５）
保持ユニット５は、表示部３、反射部（第１反射部４１、第２反射部４２）、制御基板６、及び後述のモータＭを保持するものである。保持ユニット５は、収容部５０と板部５１とステイ部５２とを有して、樹脂などによって一体に形成されている。
【００２７】
収容部５０は、レンズアレイ１２、第１レンズ１３、及び第２レンズ１４を収容する。また、収容部５０は、光源１０が実装され、平行光生成手段１１が固定された回路基板１０ａと、液晶表示素子２とを保持する。つまり、収容部５０は、表示部３を保持する。
【００２８】
収容部５０は、Ｚ方向において互いに向かい合う壁部５０ａ，５０ｂを有し、＋Ｙ方向に向かって開口した箱状に形成されている。また、収容部５０は、＋Ｘ、−Ｘの各方向に向かって開口している。このため、Ｘ方向から見た場合に収容部５０は凹状をなす。
【００２９】
壁部５０ａ，５０ｂの各内面には、各光学素子（レンズアレイ１２、第１レンズ１３、及び第２レンズ１４）の両端を挟む溝が形成されている。また、収容部５０の底部５０ｃ（図６に模式的に示した）には、各光学素子に設けられた凸状の位置決め部が挿入される、位置決め孔（図示せず）が形成されている。このような構造により、各光学素子は、収容部５０に配設される。また、収容部５０の上部には、配設された各光学素子を覆う蓋５３（図３参照）が固定される。蓋５３は、収容部５０に設けられたフックＨ２などによって収容部５０に固定される。
【００３０】
収容部５０の−Ｘ側の端部には、液晶表示素子２が前記のカバー２ａを介して固定される。また、収容部５０の＋Ｘ側の端部には、回路基板１０ａが固定される。図７に示すように、回路基板１０ａは、収容部５０に設けられたフックＨ３、蓋５３に設けられたフックＨ４などによって固定される。
【００３１】
板部５１は、主に図４に示すように、収容部５０から−Ｘ方向に延びるように形成されている。板部５１は、平面視で（Ｙ方向から見て）、略台形状に形成されている。板部５１の先端部であって、Ｘ軸に対して斜めとなる端部は、第１反射部４１を保持する第１保持部５１ａとなっている。例えば、第１保持部５１ａには、＋Ｙ方向に突出するように後述の支持部５１０（図１４参照）が設けられ、この支持部５１０に第１ホルダ４１ｂが支持されることによって、第１反射部４１は保持される。第１反射部４１の保持・固定構造については、後にまた述べる。
【００３２】
保持ユニット５の収容部５０と板部５１との間には、迷光防止壁５４が設けられている。この迷光防止壁５４は、図２に示すように、上ケース７２に形成された遮光壁７２ｂと合わさるようになっており、表示部３から射出された表示光Ｌの迷光を防止する。迷光防止壁５４は、図２に示すように、表示部３（液晶表示素子２）の表示領域を覗かせつつも、収容部５０の側方（壁部５０ｂの側方）から表示部３の前方まで取り囲むように形成されている。
【００３３】
ステイ部５２は、収容部５０の一側面から、＋Ｚ方向に突出するように形成されている。ステイ部５２には、第２反射部４２を保持する第２保持部５２ａが形成されている。具体的には、第２保持部５２ａは、軸受孔からなり、第２反射部４２（第２ホルダ４２ｂ）に設けられた一対の軸部４２ｃ（図１２参照）の一方（図３では一方のみを示した）を軸支する。なお、一対の軸部４２ｃの他方は、下ケース７１に設けられた軸支部７１ａ（図８参照）に支持される。これら一対の軸部４２ｃは、略Ｘ方向に沿っており、回転可能に支持されている。
【００３４】
また、ステイ部５２には、モータＭ（例えばステッピングモータ）と、モータＭの回転動力を第２反射部４２に伝達するギア機構（複数の歯車からなる）とを保持するモータ保持部５２ｂが設けられている。表示装置１００では、モータＭが回転すると、ギア機構を介して第２反射部４２が回転軸（Ｘ軸と略平行）周りに回転するように構成されている。これにより、凹面鏡４２ａの傾き（つまり、虚像Ｖの表示位置）が調整可能となっている。
【００３５】
制御基板６は、ＣＰＵ（Central Processing Unit）、ＲＯＭ（Read Only Memory）、ＲＡＭ（Random Access Memory）、表示制御部（グラフィックコントローラ）、各種ドライバなどが実装されたプリント回路版からなり、表示装置１００全体の動作を制御する。つまり、制御基板６は、光源１０の発光制御、液晶表示素子２の表示制御、モータＭの動作制御などを行う。また、制御基板６は、外光センサ（フォトセンサなど）が実装された外光センサ基板Ｄ（図９参照）と電気的に接続されており、外光センサから取得した検出情報に応じて、表示部３（光源１０）の調光制御も行う。なお、外光センサ基板Ｄは、例えば上ケース７２の背面に固定され、上ケース７２に設けられた孔Ｏ１（図２参照）から取り込まれる外光強度を検出する。なお、これら制御の少なくとも一部が、表示装置１００の外部の制御部によって行われてもよい。
【００３６】
制御基板６は、例えば、車両ＣのＥＣＵ（Electronic Control Unit）などから通信ラインにより伝送される各種の車両情報を取得し、車両情報を示す画像を液晶表示素子２に表示させる。なお、車両情報には、自車（車両Ｃ）に関する情報（車速など）だけでなく、車両Ｃの周囲の情報（前方車両や障害物に関する情報など）が含まれてもよい。
【００３７】
制御基板６は、図５に示すように、収容部５０の背面（−Ｙ方向に向く面）に固定されている。収容部５０には複数のフックＨ５が設けられており、これらのフックＨ５などによって制御基板６は保持される。このように保持された制御基板６は、図５に示すように、収容部５０の板部５１背面を覆うように配置される。また、制御基板６は、図６に示すように、ＦＰＣ（Flexible Printed Circuits）６ａを介して液晶表示素子２と電気的に接続されている。収容部５０の底部５０ｃには孔Ｏ２が設けられており、この孔Ｏ２にＦＰＣ６ａが通されていることで、底部５０ｃに隔てられた液晶表示素子２と制御基板６とが接続可能となっている。
【００３８】
（筐体７）
筐体７は、前記のように、下ケース７１と、上ケース７２とを有する。
図８に示すように、下ケース７１の底部７１０には、＋Ｙ方向に向かって突出するフックＨ６が複数設けられている。これらフックＨ６に係止されて、下ケース７１の底部７１０の上面に、保持ユニット５が固定される。また、保持ユニット５のステイ部５２の先端は、ビスＳｃによって下ケース７１の底部７１０に固定されている。下ケース７１の底部７１０の外縁から立設する側壁部のうち、一の側壁部７１１の内面（＋Ｘ方向に向く面）には、前記の軸支部７１ａが設けられている。
【００３９】
上ケース７２は、前記のように、射出口７２ａと遮光壁７２ｂとを有している。下ケース７１と上ケース７２とは、フックなどの係合手段やビスなどの固定手段によって組み合わされて、箱状の筐体７を構成する。
ここからは、上記で説明した以外の各部の詳細構造について、主に図９以降を参照して説明する。
【００４０】
（コードクランプ機能）
図９に示すように、制御基板６は、配線Ｗによって外光センサ基板Ｄと電気的に接続される。配線Ｗは、クランプＣ１、Ｃ２に挟み込まれ、振動時などに遊ばないようになっている。クランプＣ１は、保持ユニット５における前記の第１保持部５１ａに設けられている。クランプＣ２は、第１反射部４１の背面（略−Ｘ方向に向く面）に設けられている。具体的には、クランプＣ２は、平面鏡４１ａを保持する第１ホルダ４１ｂの背面に設けられている。このように、クランプＣ１、Ｃ２を設けることで、保持ユニット５を下ケース７１に組み付ける際などに、配線Ｗが意図せず挟まれてしまうことが防止できる。このため、接続信頼性を保つことができる。
【００４１】
（保持ユニット５、下ケース７１）
図１０（ａ）に示すように、保持ユニット５のモータ保持部５２ｂ近傍には、下ケース７１に係止されるフックＨ７が設けられている。つまり、保持ユニット５は、（ｉ）下ケース７１に設けられたフックＨ６に係止され、（ｉｉ）ステイ部５２がビスＳｃによって下ケース７１に固定される（図８参照）と共に、（ｉｉｉ）モータ保持部５２ｂ近傍がフックＨ７によって下ケースに係止される。このようにすることで、モータＭの振動等により発生する虞のあるガタツキを抑制することができる。
【００４２】
図１０（ｂ）に示すように、下ケース７１には、底部７１０から＋Ｙ方向に突出する複数のピンＰ１が設けられている。前記のように保持ユニット５の背面に固定された制御基板６は、これらのピンＰ１によって下ケース７１に支持されるように構成されている。このようにすることで、制御基板６のガタツキを抑制し、制御基板６に対する外部コネクタ（図示せず）の抜き差しに等による煽りの強度を確保することができる。
【００４３】
（上ケース７２）
図１１に示すように、上ケース７２には、平面鏡４１ａの上端部（＋Ｙ側端部）を覆う覆部７２ｃが設けられている。このようにすることで、平面鏡４１ａの端面が露出することによる不要な反射光の発生を防止することができる。また、上ケース７２に覆部７２ｃを設けたことで、専用の覆部を別体で設ける必要が無くなるため、部品点数の削減に繋がる。
【００４４】
図１２、図１４に示すように、上ケース７２には、覆部７２ｃの背面側に、−Ｙ方向に突起する第１突起部Ｐ２が複数（この実施形態では２つ）設けられている。また、上ケース７２には、−Ｙ方向に突起し、組み付けられた際に、収容部５０を覆う蓋５３を上側から押圧する第２突起部Ｐ３が複数（この実施形態では４つ）設けられている。第１突起部Ｐ２、第２突起部Ｐ３の機能については後に詳述する。
【００４５】
（平面鏡４１ａを保持する第１ホルダ４１ｂ）
第１ホルダ４１ｂの詳細構造を説明するに当たって、図１３に示すように、平面鏡４１ａの反射面と平行なα−β平面（互いに直交するα軸とβ軸による平面）と、当該反射面の法線方向に向くγ軸（α軸及びβ軸と直交する軸）を用いて説明する。
【００４６】
樹脂から形成される第１ホルダ４１ｂには、α方向に復元力を有する第１バネＥ１と、β方向に復元力を有する第２バネＥ２と、γ方向に復元力を有する第３バネＥ３とが設けられている。この実施形態では、第１バネＥ１と第２バネＥ２と第３バネＥ３とは、樹脂バネであり第１ホルダ４１ｂと一体に形成されている。なお、これらのバネは、第１ホルダ４１ｂと別体であってもよいし、金属から形成されていてもよい。
【００４７】
平面鏡４１ａは、第１ホルダ４１ｂに挿入されることで保持される。挿入された平面鏡４１ａは、第１バネＥ１によってα方向に付勢され、第２バネＥ２によってβ方向に付勢され、第３バネＥ３によってγ方向に付勢される。このように、平面鏡４１ａは、互いに直交する３方向から第１ホルダ４１ｂに押圧されながら、保持される。このようにすることで、平面鏡４１ａへの衝撃が吸収され、ガタツキが防止される。結果として、像ブレが発生するのを抑制することができる。
【００４８】
図１４、図９に示すように、第１ホルダ４１ｂには、その背面から突出する被支持部４１０が設けられている。この被支持部４１０は、保持ユニット５に設けられた支持部５１０に支持される。なお、支持部５１０は、下ケース７１に設けられてもよい。また、保持ユニット５と下ケース７１とが協働して第１ホルダ４１ｂを支持するようにしてもよい。
【００４９】
また、第１ホルダ４１ｂの被支持部４１０には、板バネＥ４が設けられている。この板バネＥ４は、主にＹ方向に復元力を有する。板バネ４は、第１ホルダ４１ｂと樹脂などにより一体に形成されてもよいし、別体であってもよい。
【００５０】
図１４に示すように、第１ホルダ４１ｂに設けられた板バネＥ４は、上ケース７２に設けられた第１突起部Ｐ２に対応するように設けられている。この実施形態では、２つの第１突起部Ｐ２に対応して、板バネＥ４は２つ設けられている。上ケース７２が下ケース７１に組み付けられると、第１突起部Ｐ２によって板バネＥ４が−Ｙ方向に押圧されながら、第１ホルダ４１ｂは保持ユニット５に設けられた支持部５１０に支持される。このようにすることで、平面鏡４１ａへの衝撃が吸収され、ガタツキが防止される。結果として、像ブレが発生するのを抑制することができる。
【００５１】
なお、収容部５０に収容される各光学素子（レンズアレイ１２、第１レンズ１３、及び第２レンズ１４）も、図示しないバネによって、少なくとも上下方向（略Ｙ方向）に押圧されながら配設される。上ケース７２が下ケース７１に組み付けられると、収容部５０に固定された蓋５３も、上ケース７２に設けられた第２突起部Ｐ３に押圧される。これにより、蓋５３を介して、各光学素子は−Ｙ方向に押圧される。表示装置１００は、このような構造によっても、像ブレの発生を抑制している。なお、各光学素子（レンズアレイ１２、第１レンズ１３、及び第２レンズ１４）は、図示しないバネによって、上下方向（略Ｙ方向）だけでなく、光軸方向（略Ｘ方向）に押圧されていることが好ましい。さらに、図示しないバネによって略Ｚ方向にも押圧されていれば好ましい。つまり、各光学素子も、互いに直交する３方向から押圧されながら、収容部５０に収容されていることが好ましい。
【００５２】
（１）以上に説明した表示装置１００は、表示光Ｌを射出口７２ａから射出し、ウインドシールドＳ（透光部材の一例）に照射することで表示光Ｌが表す像（虚像Ｖ）を表示する。表示装置１００は、表示光Ｌを射出する表示部３と、表示部３から射出口７２ａに至る表示光Ｌの光路上に位置し、表示光Ｌを反射させる反射部（第１反射部４１、第２反射部４２）と、表示部３の動作を制御する制御基板６と、射出口７２ａが設けられた上ケース７２（第１ケースの一例）と、上ケース７２と組み合わされる下ケース７１（第２ケースの一例）と、上ケース７２と下ケース７１との間に位置すると共に下ケース７１に固定され、表示部３を保持する保持ユニット５と、を備える。
保持ユニット５は、上ケース７２側において表示部３だけでなく反射部の少なくとも一部を保持すると共に、下ケース７１側において制御基板６を保持する。
このように、表示部３と、反射部の少なくとも一部と、制御基板６とを保持ユニット５に保持させる構造としたため、保持ユニット５を下ケース７１に固定するだけで各部材が配設でき、組み付けが容易である。また、保持ユニット５を基準に、表示部３や反射部が固定されるため、像ブレの発生を抑制できる。また、制御基板６が保持ユニット５の背面に設けられるため、制御基板６での反射を防止する反射防止壁を専用に設けなくとも、表示光Ｌの光路を確保するスペース内に制御基板６が露出することが防止できる。
【００５３】
（２）また、保持ユニット５は、表示部３の少なくとも一部を収容する収容部５０と、表示部３からの表示光Ｌの射出方向に沿って延びる板部５１と、を有する。板部５１は、その先端部で第１反射部４１を保持すると共に、その背面側で制御基板６を保持する。このような、保持ユニット５の構成によれば、表示部３から第１反射部４１への表示光Ｌの光路を確保しつつも、第１反射部４１や制御基板６を保持することができる。
【００５４】
（３）また、保持ユニット５は、収容部５０と板部５１との間に、表示部３から射出された表示光Ｌの迷光を防止する迷光防止壁５４を有する。
（４）また、保持ユニット５は、収容部５０の側方へと突出するステイ部５２を有し、ステイ部５２は、第２反射部４２の傾きを調整するモータＭを保持すると共に、第２反射部４２の少なくとも一部を保持する。
このように、各部がユニット化されているため、組み付けが容易であり、また、部品点数を削減することができる。
【００５５】
（５）また、第１反射部４１は、平面鏡４１ａと、平面鏡４１ａを保持するホルダ（第１ホルダ４１ｂ）とを有し、平面鏡４１ａは、第１ホルダ４１ｂに設けられた弾性体（第１バネＥ１、第２バネＥ２、第３バネＥ３）によって、互いに直交する３方向に押圧されながら保持される。
このようにしたから、前記のように、像ブレの発生を抑制することができる。
【００５６】
（６）また、保持ユニット５は、少なくとも係合手段（フックＨ６、図８参照）によって下ケース７１に係合されている。
このようにしたから、組み付けが容易である。また、ビスなどの固定手段を減らすことができる。
【００５７】
なお、本発明は以上の実施形態及び図面によって限定されるものではない。本発明の要旨を変更しない範囲で、適宜、実施形態及び図面に変更（構成要素の削除も含む）を加えることが可能である。以下に変形の一例を示す。
【００５８】
（変形例）
以上では、液晶表示素子２を照明するバックライトユニット１が、光源１０と、光学素子群（平行光生成手段１１、レンズアレイ１２、第１レンズ１３、及び第２レンズ１４）を備える例を説明したが、光学素子群を構成する光学素子の機能や枚数は設計に応じて任意である。また、表示部３は、自発光型の有機ＥＬ（ＯＬＥＤ：Organic Light-Emitting Diode）ディスプレイなどで構成されてもよい。
【００５９】
以上では、保持ユニット５が第１反射部４１と、第２反射部４２の一部（一方の軸部４２ｃ）とを保持する例を説明したが、保持ユニット５は、第１反射部４１と第２反射部４２の各々の少なくとも一部を保持するものであればよい。例えば、保持ユニット５は、下ケース７１と協働して第１反射部４１を保持してもよいし、第２反射部４２の一対の軸部４２ｃの双方を保持してもよい。また、保持ユニット５は、第１反射部４１と第２反射部４２との一方のみを保持してもよい。保持ユニット５が、第１反射部４１と第２反射部４２とをどのように保持するかは、設計に応じて任意である。
【００６０】
以上では、フックＨ５（図５参照）によって制御基板６を保持ユニット５に固定したり、フックＨ６（図８参照）によって保持ユニット５を下ケース７１に固定したり、その他のフックＨ１〜Ｈ４、Ｈ７によって各部を固定したりする例を説明したが、これらフックの数、配置、形状は、設計に応じて任意である。また、フックなどの係合手段の代わりに、あるいは係合手段と併せて、ビスなどの固定手段を用いてもよい。ただし、特に、保持ユニット５の下ケース７１への固定構造においては、フックＨ６をより多く用いてビスなどの固定手段を減らしたほうが組み付けが容易となるため、好ましい。
【００６１】
また、以上の説明では、表示光Ｌを車両ＣのウインドシールドＳで反射させることで、表示画像をユーザＵに視認させる例を示したが、これに限られない。表示装置１００が専用のコンバイナ（透光部材の一例）を備え、コンバイナで表示光Ｌを反射させることで表示画像を視認させてもよい。
【００６２】
また、以上の説明では、表示装置１００が搭載される乗り物の一例を車両Ｃとしたが、これに限られない。表示装置１００は、オートバイ等の他の車両、建設機械、農耕機械、船舶、航空機等に搭載されるものであってもよい。
【符号の説明】
【００６３】
１００…表示装置
１…バックライトユニット
２…液晶表示素子
３…表示部
４１…第１反射部
４１ａ…平面鏡、４１ｂ…第１ホルダ、４１０…被支持部、Ｅ１〜Ｅ３…第１〜第３バネ
４２…第２反射部
４２ａ…凹面鏡、４２ｂ…第２ホルダ、４２ｃ…軸部
５…保持ユニット
５０…収容部、５０ａ，５０ｂ…壁部、５０ｃ…底部、Ｏ２…孔
５１…板部、５１ａ…第１保持部
５２…ステイ部、５２ａ…第２保持部、５２ｂ…モータ保持部、Ｍ…モータ
５３…蓋
５４…迷光防止壁
６…制御基板、ＦＰＣ…６ａ、Ｄ…外光センサ基板、
７…筐体
７１…下ケース（第２ケースの一例）
７１ａ…軸支部、７１０…底部、Ｏ２…孔
７２…上ケース（第１ケースの一例）
７２ａ…射出口、７２ｂ…遮光壁、Ｏ１…孔、７２ｃ…覆部
Ｐ２…第１突起部、Ｐ３…第２突起部
Ｌ…表示光、Ｖ…虚像、Ｕ…ユーザ
【図１】
2020189626.tif 000003
【図２】
2020189626.tif 000004
【図３】
2020189626.tif 000005
【図４】
2020189626.tif 000006
【図５】
2020189626.tif 000007
【図６】
2020189626.tif 000008
【図７】
2020189626.tif 000009
【図８】
2020189626.tif 000010
【図９】
2020189626.tif 000011
【図１０】
2020189626.tif 000012
【図１１】
2020189626.tif 000013
【図１２】
2020189626.tif 000014
【図１３】
2020189626.tif 000015
【図１４】
2020189626.tif 000016